(57)【要約】【課題】空気の吹出口または空気の吸込口等に付着した塵埃を除去する換気を行うことを可能とした換気制御装置を提供する。【解決手段】対象室内の空調を行う空調機の、当日の運転が終了したか否かを判定する空調停止判定部（１０２）と、空調停止判定部（１０２）が、空調機の当日の運転が終了したと判定した場合、空調機が次回運転するまでの期間が、次回運転判定用閾値以上であるか否かを判定するスケジュール判定部（１０３）と、スケジュール判定部（１０３）が、空調機が次回運転するまでの期間が次回運転判定用閾値以上であると判定した場合、排気の風量および給気の風量を最大風量として風量装置を稼働させる風量制御部（１０６）を備えた。【選択図】図２
2020186856.tif 000002
【特許請求の範囲】
【請求項１】
対象室外への排気の風量、または、前記対象室内への給気の風量を調整する風量装置を制御する換気制御装置であって、
前記対象室内の空調を行う空調機の、当日の運転が終了したか否かを判定する空調停止判定部と、
前記空調停止判定部が、前記空調機の当日の運転が終了したと判定した場合、前記空調機が次回運転するまでの期間が、次回運転判定用閾値以上であるか否かを判定するスケジュール判定部と、
前記スケジュール判定部が、前記空調機が次回運転するまでの期間が前記次回運転判定用閾値以上であると判定した場合、前記排気の風量および前記給気の風量を最大風量として前記風量装置を稼働させる風量制御部
を備えた換気制御装置。
【請求項２】
前記対象室内が無人状態であるか否かを判定する在室人員判定部を備え、
前記風量制御部は、
前記スケジュール判定部が、前記空調機が次回運転するまでの期間が前記次回運転判定用閾値以上であると判定し、かつ、前記在室人員判定部が、前記対象室内が無人状態であると判定した場合、前記排気の風量および前記給気の風量を最大風量として前記風量装置を稼働させる
ことを特徴とする請求項１記載の換気制御装置。
【請求項３】
前記風量制御部が、前記風量装置を稼動させた後、前記対象室内の二酸化炭素濃度が濃度判定用閾値以下であるか否かを判定する濃度判定部と、
前記濃度判定部が、前記対象室内の二酸化炭素濃度が前記濃度判定用閾値以下であると判定した場合、前記風量装置を停止させる停止制御部
を備えた請求項１または請求項２記載の換気制御装置。
【請求項４】
前記対象室内の温度と前記対象室外の温度の差が温度判定用閾値以内であるか否かを判定する温度判定部を備え、
前記停止制御部は、
前記濃度判定部が、前記対象室内の二酸化炭素濃度が前記濃度判定用閾値以下であると判定し、かつ、前記温度判定部が、前記対象室内の温度と前記対象室外の温度の差が温度判定用閾値以内であると判定した場合、前記風量装置を停止させる
ことを特徴とする請求項３記載の換気制御装置。
【請求項５】
対象室外への排気の風量、または、前記対象室内への給気の風量を調整する風量装置を制御する換気制御方法であって、
空調停止判定部が、前記対象室内の空調を行う空調機の、当日の運転が終了したか否かを判定するステップと、
スケジュール判定部が、前記空調停止判定部が、前記空調機の当日の運転が終了したと判定した場合、前記空調機が次回運転するまでの期間が、次回運転判定用閾値以上であるか否かを判定するステップと、
風量制御部が、前記スケジュール判定部が、前記空調機が次回運転するまでの期間が前記次回運転判定用閾値以上であると判定した場合、前記排気の風量および前記給気の風量を最大風量として前記風量装置を稼働させるステップ
を備えた換気制御方法。
【発明の詳細な説明】
【技術分野】
【０００１】
この発明は、室内の換気の制御を行う換気制御装置、および、換気制御システムに関するものである。
【背景技術】
【０００２】
従来、室内の空調を行うと、空気の吹出口、または、空気の吸込口に塵埃が付着する。
一方、換気によって空気中の塵埃を除去する技術が知られている。例えば、特許文献１には、室内空気の汚れを判定して汚れのあるときに換気するようにした換気装置が開示されている。
【先行技術文献】
【特許文献】
【０００３】
【特許文献１】特開平４−３３２３２８号公報
【発明の概要】
【発明が解決しようとする課題】
【０００４】
特許文献１に開示されているような技術は、空気汚れを判定したとき、換気量が比例的に反応していわゆるオーバーシュートしないよう、まず、その汚れ状態に応じた換気量よりも少ない換気量を設定して換気させるようにしている。そのため、特許文献１に開示されているような技術では、空気の吹出口または空気の吸込口等に付着する塵埃を除去しようとしても、当該塵埃を除去するだけの風量にならず、当該塵埃を除去することができない場合があるという課題があった。
【０００５】
この発明は、上記のような課題を解決するためになされたもので、空気の吹出口または空気の吸込口等に付着した塵埃を除去する換気を行うことを可能とした換気制御装置を提供することを目的とする。
【課題を解決するための手段】
【０００６】
この発明に係る換気制御装置は、対象室外への排気の風量、または、対象室内への給気の風量を調整する風量装置を制御する換気制御装置であって、対象室内の空調を行う空調機の、当日の運転が終了したか否かを判定する空調停止判定部と、空調停止判定部が、空調機の当日の運転が終了したと判定した場合、空調機が次回運転するまでの期間が、次回運転判定用閾値以上であるか否かを判定するスケジュール判定部と、スケジュール判定部が、空調機が次回運転するまでの期間が次回運転判定用閾値以上であると判定した場合、排気の風量および給気の風量を最大風量として風量装置を稼働させる風量制御部を備えたことを特徴とするものである。
【発明の効果】
【０００７】
この発明によれば、空気の吹出口または空気の吸込口等に付着した塵埃を除去する換気を行うことができる。
【図面の簡単な説明】
【０００８】
【図１】実施の形態１に係る換気制御装置を備えた施設監視システムの構成例を示す図である。
【図２】実施の形態１に係る換気制御装置の構成例を示す図である。
【図３】実施の形態１に係る換気制御装置の動作を説明するためのフローチャートであって、換気制御装置が、風量装置を稼働させて塵埃を除去するための換気を行わせる動作を説明するためのフローチャートである。
【図４】実施の形態１に係る換気制御装置の動作を説明するためのフローチャートであって、換気制御装置が、塵埃を除去するための換気を行わせた後、当該換気を停止させる動作を説明するためのフローチャートである。
【発明を実施するための形態】
【０００９】
以下、この発明の実施の形態について図面を参照しながら詳細に説明する。
実施の形態１．
以下の実施の形態１では、実施の形態１に係る換気制御装置が、オフィスビルまたは商業ビル等の施設内に設置された機器等の監視または制御を行う施設監視システムにて用いられることを想定している。施設内に設置された機器とは、例えば、空調機、照明、モータである。
施設監視システムでは、オフィスまたは店舗等、施設内の区切られた空間の空調の制御を行うとともに、当該空間の換気の制御を行う。以下、空調および換気の制御対象となる、施設内の区切られた空間を、「対象室」という。
【００１０】
図１は、実施の形態１に係る換気制御装置１０を備えた施設監視システムの構成例を示す図である。
施設監視システムは、上位コントローラ２および下位コントローラ１を備える。上位コントローラ２および下位コントローラ１は、ネットワークを介して接続される。実施の形態１に係る換気制御装置１０は、下位コントローラ１に備えられる。実施の形態１では、換気制御装置１０を備えた下位コントローラ１を、ＶＡＶ（Ｖａｒｉａｂｌｅ  Ａｉｒ  Ｖｏｌｕｍｅ）コントローラとする。
【００１１】
ＶＡＶコントローラは、対象室内への空気の吹出口に設置されたＶＡＶ３（以下「給気ＶＡＶ」という。）、および、対象室内からの空気の吸込口に設置されたＶＡＶ３（以下「排気ＶＡＶ」という。）を制御する。給気ＶＡＶは、ＶＡＶコントローラの制御に基づき対象室内への給気の風量を調整し、排気ＶＡＶは、ＶＡＶコントローラの制御に基づき対象室内からの排気の風量を調整する。具体的には、ＶＡＶ３は、当該ＶＡＶ３が備えるダンパ（図示省略）の開度を調整することで、給気の風量または排気の風量を調整する。
吹出口および吸込口からは、それぞれダクト（図示省略）が延びており、吹出口から延びているダクトには給気ファン（図示省略）が設置され、吸込口から延びているダクトには排気ファン（図示省略）が設置されている。給気ファンが回転することで、対象室外の空気がダクトを介して対象室へ送られ、吹出口から対象室内へ供給される。また、排気ファンが回転することで、対象室内の空気が吸込口からダクトへ送られ、対象室外へ排出される。ＶＡＶ３は、ダンパの開度を調整することで、吹出口または吸込口をそれぞれ通る給気または排気の風量を調整する。すなわち、対象室外への排気の風量は、排気ファンと排気ＶＡＶのダンパとによって調整され、対象室内への給気の風量は、給気ファンと給気ＶＡＶのダンパとによって調整されることになる。実施の形態１において、給気ファン、排気ファン、または、ＶＡＶ３のように、対象室外への排気の風量、または、対象室内への給気の風量を調整するために用いられる装置を、「風量装置」というものとする。また、実施の形態１において、給気ＶＡＶおよび排気ＶＡＶをまとめて「ＶＡＶ３」ともいうものとする。また、以下の説明において、対象室内への空気の吹出口を単に「吹出口」、対象室内からの空気の吸込口を単に「吸込口」という。
上述したように、給気ＶＡＶおよび給気ファンによって風量を調整された空気は吹出口を通って対象室内に供給される。また、対象室内の空気は、排気ＶＡＶおよび排気ファンによって調整された風量で、吸込口を通って対象室外へ排出される。
具体的には、ＶＡＶコントローラは、対象室を空調する空調機（図示省略）が運転中、上位コントローラ２からの制御に基づき、ＶＡＶ３を制御する。上位コントローラ２はスケジュール機能を有しており、予め設定された運転スケジュールに基づき、空調機、給気ファン、および、排気ファンの稼働または停止を制御し、ＶＡＶコントローラを介してＶＡＶ３を制御する。
また、ＶＡＶコントローラは、空調機が停止中である場合、所定の状況下において、給気ファン、排気ファン、および、ＶＡＶ３を制御し、塵埃を除去するための、対象室内の換気を行う。所定の状況下における、塵埃を除去するための、対象室内の換気の制御は、換気制御装置１０が行う。換気制御装置１０による、塵埃を除去するための、対象室内の換気の詳細については後述する。
【００１２】
なお、図１では、下位コントローラ１として、ＶＡＶコントローラのみ図示しているが、上位コントローラ２には、複数の下位コントローラが接続され得る。上位コントローラ２は、下位コントローラを介して、当該下位コントローラと接続されている機器の監視または制御を行う。例えば、上位コントローラ２は、ＶＡＶコントローラ以外の下位コントローラから、当該下位コントローラに接続された機器の計測値を収集する。以下の説明において、「下位コントローラ」というとき、当該「下位コントローラ」とは、ＶＡＶコントローラ以外の下位コントローラであるものとする。
【００１３】
図２は、実施の形態１に係る換気制御装置１０の構成例を示す図である。
換気制御装置１０は、ソフトウェアに基づくＣＰＵを用いたプログラム処理によって実行される。また、換気制御装置１０は、上位コントローラ２またはＶＡＶ３等の、他の装置との通信を行う、入力インタフェース装置（図示省略）、および、出力インタフェース装置（図示省略）を有する。
図２に示すように、換気制御装置１０は、運転状況情報取得部１０１、空調停止判定部１０２、スケジュール判定部１０３、在室状況情報取得部１０４、在室人員判定部１０５、風量制御部１０６、濃度情報取得部１０７、濃度判定部１０８、温度情報取得部１０９、温度判定部１１０、停止制御部１１１、および、換気状況通知部１１２を備える。
【００１４】
運転状況情報取得部１０１は、空調機の運転状況に関する情報（以下「運転状況情報」という。）を取得する。例えば、運転状況情報取得部１０１は、上位コントローラ２から、空調機の運転スケジュールを、運転状況情報として取得する。上位コントローラ２は、空調機の運転スケジュールを記憶している。また、例えば、運転状況情報取得部１０１は、上位コントローラ２から、空調機が運転中であるか、停止中であるかの情報を、運転状況情報として取得してもよい。上位コントローラ２は、直接、または、下位コントローラを介して、空調機の稼働制御を行っている。
運転状況情報取得部１０１は、取得した運転状況情報を、空調停止判定部１０２に出力する。
【００１５】
空調停止判定部１０２は、運転状況情報取得部１０１が取得した運転状況情報に基づき、空調機が停止中であるか否かを判定する。例えば、運転状況情報取得部１０１が取得した運転状況情報が、空調機の運転スケジュールである場合、空調停止判定部１０２は、現在時刻と運転スケジュールとを比較し、空調機が停止中であるか否かを判定する。例えば、運転状況情報取得部１０１が取得した運転状況情報が、空調機が運転中であるか、停止中であるかの情報である場合、空調停止判定部１０２は、運転状況情報取得部１０１が、空調機が停止中である旨の情報を取得したか否かを判定する。
【００１６】
空調機が停止中である場合、空調停止判定部１０２は、さらに、空調機の、当日の運転が終了したか否かを判定する。空調停止判定部１０２は、例えば、運転状況情報取得部１０１が取得した、空調機の運転スケジュールに基づき、当該空調機の、当日の運転が終了したか否かを判定すればよい。運転状況情報取得部１０１が空調機の運転スケジュールを取得しない場合、空調停止判定部１０２は、上位コントローラ２から空調機の運転スケジュールを取得し、取得した運転スケジュールから、空調機の当日の運転が終了したか否かを判定するようにすればよい。
なお、空調停止判定部１０２は、運転スケジュール上、２４時以降に停止がスケジュールされている場合であっても、当該停止を、当日分の停止とする。一例を挙げると、例えば、空調機の運転スケジュールとして、毎日、９時に運転→１５時に停止→１７時に運転→２５時に停止、という運転スケジュールが設定されているとする。この場合、空調停止判定部１０２は、２５時の停止を、当日分の停止とし、２５時以降、空調機は、当日の運転を終了したと判定する。
空調停止判定部１０２は、空調機の当日の運転が終了したと判定した場合、当日の運転が終了した旨の情報を、スケジュール判定部１０３に出力する。このとき、空調停止判定部１０２は、空調機の運転スケジュールを、スケジュール判定部１０３に出力するようにする。
【００１７】
スケジュール判定部１０３は、空調停止判定部１０２が、空調機の当日の運転が終了したと判定した場合、空調機が次回運転するまでの期間が、予め設定された閾値（以下「次回運転判定用閾値」という。）以上であるか否かを判定する。スケジュール判定部１０３は、現在時刻と空調機の運転スケジュールに基づいて、当該空調機が次回運転するまでの期間が次回運転判定用閾値以上であるか否かを判定すればよい。次回運転判定用閾値は、ユーザ等が適宜設定可能であり、ユーザ等は、例えば、給気ＶＡＶまたは排気ＶＡＶを最大風量となるよう稼働させて対象室の換気を行う間、対象室が無人状態を維持できると想定される期間を、次回運転判定用閾値に設定する。
スケジュール判定部１０３は、空調機が次回運転するまでの期間が次回運転判定用閾値以上であると判定した場合、空調機が次回運転するまで、予め設定された期間以上、期間が空くと判定し、空調機が次回運転するまでの期間が次回運転判定用閾値以上である旨の情報を、風量制御部１０６に出力する。
【００１８】
在室状況情報取得部１０４は、対象室に在室している人に関する情報（以下「在室状況情報」という。）を取得する。在室状況情報取得部１０４は、例えば、上位コントローラ２から、対象室への人の入退室を示す入退室情報を、在室状況情報として取得する。実施の形態１において、施設監視システムは、人の対象室への出入りの実績を管理する入退室管理システムと連動しており、上位コントローラ２は、入退室管理システムから入退室情報を常時取得可能とする。在室状況情報取得部１０４は、例えば、常時、または、対象室の人の在室状況に変化があった場合に、上位コントローラ２から、在室状況情報を取得する。また、例えば、対象室内に人感センサが設置されており、上位コントローラ２は、人感センサから直接、または、下位コントローラを介して、対象室の人の在不在情報を収集しているものとし、在室状況情報取得部１０４は、当該在不在情報を、在室状況情報を取得するものとしてもよい。在室状況情報取得部１０４は、対象室が有人状態か無人状態かを判断可能な情報を、在室状況情報として取得するようになっていればよい。
在室状況情報取得部１０４は、取得した在室状況情報を、在室人員判定部１０５に出力する。
【００１９】
在室人員判定部１０５は、在室状況情報取得部１０４が取得した在室状況情報に基づき、対象室内が無人状態であるか否かを判定する。
在室人員判定部１０５は、対象室内が無人状態であると判定した場合、対象室内が無人である旨の情報を、風量制御部１０６に出力する。
【００２０】
風量制御部１０６は、スケジュール判定部１０３が、空調機が次回運転するまでの期間が次回運転判定用閾値以上であると判定し、かつ、在室人員判定部１０５が、室内が無人状態であると判定した場合、排気の風量および給気の風量を最大風量として風量装置を稼働させる。風量装置は、排気の風量および給気の風量を最大風量とした換気を行う。具体的には、風量制御部１０６の制御に従い、給気ファンおよび排気ファンが回転数を最大とし、さらに、ＶＡＶ３のダンパが全開とすることで、風量装置は、排気の風量および給気の風量を最大風量とする。実施の形態１において、風量装置の最大風量とは、当該風量装置において設定し得る最大風量をいう。従って、実施の形態１では、給気ファン、排気ファン、および、ＶＡＶ３の性能等によって、風量装置の最大風量は変わる。
風量装置が換気を行うことで、吸込口または吹出口に堆積した塵埃が除去される。その際、排気の風量および給気の風量が最大風量となっていることで、吸込口または吹出口に堆積した大きな塵埃、または、静電気で付着した塵埃等、弱い風量では除去しきれない塵埃を除去することができる。また、風量装置が換気を行うことで、吸込口または吹出口に堆積した塵埃だけでなく、対象室内に設置されている家具等の設置物に堆積している塵埃、または、対象室内を浮遊している塵埃も除去される。また、風量装置は、最大風量で換気を行うため、短時間での換気を実現することができる。
このように、換気制御装置１０は、風量装置に対して、塵埃を除去するための換気を行わせる。
【００２１】
濃度情報取得部１０７は、対象室内の二酸化炭素濃度に関する情報（以下「濃度情報」という。）を、常時、または、予め設定された周期で、取得する。例えば、濃度情報取得部１０７は、上位コントローラ２から、濃度情報を取得する。実施の形態１において、例えば、対象室内には、対象室内の二酸化炭素濃度を測定する濃度センサが設置されているものとし、上位コントローラ２は、濃度センサから直接、または、下位コントローラを介して、濃度情報を収集する。なお、これは一例に過ぎず、濃度情報取得部１０７は、濃度情報を取得できるようになっていればよい。
濃度情報取得部１０７は、取得した濃度情報を、濃度判定部１０８に出力する。
【００２２】
濃度判定部１０８は、風量制御部１０６が風量装置に対して換気を行わせた後、濃度情報取得部１０７が取得した濃度情報に基づき、対象室内の二酸化炭素濃度が、予め設定された閾値（以下「濃度判定用閾値」という。）以下であるか否かを判定する。濃度判定用閾値は、換気を終了するか否かを判断するための閾値である。なお、換気を終了するか否かは、停止制御部１１１が判断する。停止制御部１１１については、後述する。ユーザ等は、例えば、建築基準法等の法律で規定されている、室内空気の二酸化炭素濃度の値以下となるよう、濃度判定用閾値を設定する。
濃度判定部１０８は、対象室内の二酸化炭素濃度が濃度判定用閾値以下であると判定した場合、対象室内の二酸化炭素が濃度判定用閾値以下である旨の情報を、停止制御部１１１に出力する。
【００２３】
温度情報取得部１０９は、対象室内の温度に関する情報（以下「室内温度情報」という。）、および、対象室外の外気の温度に関する情報（以下「室外温度情報」という。）を、常時、または、予め設定された周期で取得する。例えば、温度情報取得部１０９は、上位コントローラ２から、室内温度情報および室外温度情報を取得する。実施の形態１において、例えば、対象室内には室内温度を測定する室内温度センサが設置され、対象室外には、対象室外の外気温度を測定する室外温度センサが設置されているものとする。上位コントローラ２は、室内温度センサおよび室外温度センサから直接、または、下位コントローラを介して、室内温度情報および室外温度情報を収集する。なお、これは一例に過ぎず、温度情報取得部１０９は、室内温度情報および室外温度情報を取得できるようになっていればよい。
温度情報取得部１０９は、取得した室内温度情報および室外温度情報を、温度判定部１１０に出力する。
【００２４】
温度判定部１１０は、温度情報取得部１０９が取得した室内温度情報および室外温度情報に基づき、対象室内の温度と対象室外の温度の差が、予め設定された閾値（以下「温度判定用閾値」という。）以内であるか否かを判定する。温度判定用閾値は、ユーザ等によって適宜設定可能である。温度判定用閾値は、換気を終了するか否かを判断するための閾値である。なお、換気を終了するか否かは、停止制御部１１１が判断する。停止制御部１１１については、後述する。ユーザ等は、例えば、空調がされていない、無人状態の対象室内の温度と、その際の室外温度との差に基づき、温度判定用閾値を設定するようにする。ユーザ等は、例えば、夏と冬とでそれぞれ温度判定用閾値を設定する等、季節によって、温度判定用閾値を変更するようにしてもよい。
温度判定部１１０は、対象室内の温度と対象室外の温度の差が温度判定用閾値以内であると判定した場合、対象室内の温度と対象室外の温度の差が温度判定用閾値以内である旨の情報を、停止制御部１１１に出力する。
【００２５】
停止制御部１１１は、濃度判定部１０８が、対象室内の二酸化炭素濃度が濃度判定用閾値以下であると判定し、かつ、温度判定部１１０が、対象室内の温度と対象室外の温度の差が温度判定用閾値以内であると判定した場合、風量装置を停止させる。具体的には、停止制御部１１１は、ＶＡＶ３に対してダンパを閉じさせ、給気ファンおよび排気ファンの回転を停止させる。これにより、塵埃を除去するための換気が終了する。
対象室内の二酸化炭素濃度が濃度判定用閾値以下である場合、対象室内の換気がじゅうぶんに行われたといえる。また、対象室内の温度と対象室外の温度の差が温度判定用閾値以内である場合、それ以上差が縮まらないと推定されるまで、対象室内の温度が対象室外の温度に近づいたといえる。そうすると、換気を継続しても、増エネになるだけであるといえる。そこで、停止制御部１１１は、対象室内の二酸化炭素濃度が濃度判定用閾値以下であり、かつ、対象室内の温度と対象室外の温度の差が温度判定用閾値以内である場合、風量装置を停止させると判断する。
【００２６】
換気状況通知部１１２は、風量制御部１０６が排気の風量および給気の風量を最大風量として風量装置を稼働させると、その旨の情報を風量制御部１０６から取得し、塵埃を除去するための、最大風量での換気を行っている旨の通知情報を、上位コントローラ２に送信する。また、換気状況通知部１１２は、停止制御部１１１がＶＡＶ３を停止させると、その旨の情報を停止制御部１１１から取得し、塵埃を除去するための、最大風量での換気を停止した旨の通知情報を、上位コントローラ２に送信する。
【００２７】
上位コントローラ２では、換気状況通知部１１２から、最大風量での換気を行っている旨の通知情報を取得すると、上位コントローラ２の表示制御部（図示省略）が、ネットワークを介して上位コントローラ２と接続されている表示装置（図示省略）に、例えば、「塵埃除去運転中」とのメッセージを表示させる。また、換気状況通知部１１２から、最大風量での換気を停止した旨の通知情報を取得すると、上位コントローラ２の表示制御部は、表示装置に、例えば、「塵埃除去運転完了」とのメッセージを表示させる。ユーザ等は、表示装置を確認することで、風量装置が最大風量での換気を行っているかどうかを確認することができる。なお、上位コントローラ２の表示制御部は、対象室に対して、通常の、設定温度に従った空調を実施している際も、空調機の運転状況に関するメッセージを、表示装置に表示させることができる。ユーザ等は、対象室での空調状況を確認することができる。
【００２８】
実施の形態１に係る換気制御装置１０の動作について説明する。
図３および図４は、実施の形態１に係る換気制御装置１０の動作を説明するためのフローチャートである。
図３は、換気制御装置１０が、風量装置を稼働させて塵埃を除去するための換気を行わせる動作を説明するためのフローチャートであり、図４は、換気制御装置１０が、塵埃を除去するための換気を行わせた後、当該換気を停止させる動作を説明するためのフローチャートである。すなわち、換気制御装置１０は、図３で説明する動作を行った後、図４で説明する動作を行う。
【００２９】
まず、図３を用いて、換気制御装置１０が、ＶＡＶ３を稼働させて塵埃を除去するための換気を行わせる動作を説明する。換気制御装置１０は、図３で説明する動作を定期的に実施する。
空調停止判定部１０２は、運転状況情報取得部１０１が取得した運転状況情報に基づき、空調機が停止中であるか否かを判定する（ステップＳＴ３０１）。
空調停止判定部１０２が、空調機は停止中ではないと判定した場合（ステップＳＴ３０１の”ＮＯ”の場合）、換気制御装置１０の動作は、ステップＳＴ３０１に戻る。
【００３０】
空調停止判定部１０２が、空調機は停止中であると判定した場合（ステップＳＴ３０１の”ＹＥＳ”の場合）、空調停止判定部１０２は、さらに、空調機の、当日の運転が終了したか否かを判定する（ステップＳＴ３０２）。
空調停止判定部１０２は、空調機の当日の運転が終了していないと判定した場合（ステップＳＴ３０２の”ＮＯ”の場合）、換気制御装置１０の動作は、ステップＳＴ３０１に戻る。
空調停止判定部１０２は、空調機の当日の運転が終了したと判定した場合（ステップＳＴ３０２の”ＹＥＳ”の場合）、当日の運転が終了した旨の情報を、スケジュール判定部１０３に出力する。このとき、空調停止判定部１０２は、空調機の運転スケジュールを、スケジュール判定部１０３に出力するようにする。
【００３１】
スケジュール判定部１０３は、ステップＳＴ３０２にて、空調停止判定部１０２が、空調機の当日の運転が終了したと判定した場合、空調機が次回運転するまでの期間が次回運転判定用閾値以上であるか否かを判定する（ステップＳＴ３０３）。
スケジュール判定部１０３が、空調機が次回運転するまでの期間が次回運転判定用閾値未満であると判定した場合（ステップＳＴ３０３の”ＮＯ”の場合）、換気制御装置１０は、処理を終了する。
【００３２】
スケジュール判定部１０３は、空調機が次回運転するまでの期間が次回運転判定用閾値以上であると判定した場合（ステップＳＴ３０３の”ＹＥＳ”の場合）、空調機が次回運転するまでの期間が次回運転判定用閾値以上である旨の情報を、風量制御部１０６に出力する。
【００３３】
在室人員判定部１０５は、在室状況情報取得部１０４が取得した在室状況情報に基づき、対象室内が無人状態であるか否かを判定する（ステップＳＴ３０４）。
在室人員判定部１０５が、対象室内が無人状態ではないと判定した場合（ステップＳＴ３０４の”ＮＯ”の場合）、換気制御装置１０は、処理を終了する。
在室人員判定部１０５は、対象室内が無人状態であると判定した場合（ステップＳＴ３０４の”ＹＥＳ”の場合）、対象室内が無人である旨の情報を、風量制御部１０６に出力する。
【００３４】
風量制御部１０６は、ステップＳＴ３０３にて、スケジュール判定部１０３が、空調機が次回運転するまでの期間が次回運転判定用閾値以上であると判定し、かつ、ステップＳＴ３０４にて、在室人員判定部１０５が、室内が無人状態であると判定した場合、排気の風量および給気の風量を最大風量として風量装置を稼働させる（ステップＳＴ３０５）。
【００３５】
このように、換気制御装置１０は、風量装置に、最大風量での換気を行わせることで、吸込口または吹出口に堆積した大きな塵埃、または、静電気で付着した塵埃等、弱い風量では除去しきれない塵埃を除去することができる。また、風量装置に換気を行わせることで、換気制御装置１０は、吸込口または吹出口に堆積した塵埃だけでなく、対象室内に設置されている家具等の設置物に堆積している塵埃、または、対象室内を浮遊している塵埃を除去することができる。また、風量装置は、最大風量で換気を行うため、短時間での換気を実現することができる。
換気制御装置１０は、図３で説明したような動作を定期的に実施することで、対象室内を清潔に保つことができる。また、換気制御装置１０は、風量装置を最大風量で稼働させた、塵埃を除去するための換気を行うことで、ユーザ等が、例えば、空調機のメンテナンス時に、塵埃の除去作業を行う手間を低減することができる。従来、例えば、吸込口または吹出し口に堆積した大きな塵埃等を除去するには、ユーザ等が、メンテナンス時に除去作業を行うか、当該塵埃等が自重で落下するまで待つしかなかった。
また、換気制御装置１０が、風量装置を最大風量で稼働させた、塵埃を除去するための換気を行うことで、空調機がウォーミングアップ時に外気取り入れを停止することによって、対象室内の二酸化炭素濃度が上昇することを緩和させることができる。また、換気制御装置１０が、風量装置を最大風量で稼働させた、塵埃を除去するための換気を行うことで、インフルエンザウィルス等の病原性物質が対象室内に停滞することを防止することができる。
【００３６】
また、換気制御装置１０において、在室人員判定部１０５が、対象室内は無人状態であると判定した場合に、風量制御部１０６が、風量装置に、最大風量での換気を行わせるようにした。対象室に人が存在している場合、風量装置が最大風量で稼働すると、大きい風圧の風があたる、または、騒音がする等、人への影響が大きい。
なお、上述の従来技術では、室内に人が存在していることを前提としており、上記影響を考慮し、当該室内の人の不快感を招かないように換気量を制御していたため、汚れ状態に応じた換気量よりも少ない換気量を設定して換気させるようにしていた。これにより、従来技術のような換気量では、空気の吹出口または空気の吸込口等に付着する塵埃を除去するだけの風量にならず、当該塵埃を除去することができない場合があった。
これに対し、実施の形態１に係る換気制御装置１０は、対象室内が無人状態である場合に、風量装置を最大風量とした換気を行うため、人への影響を考慮する必要がなく、塵埃を除去するのに十分な風量として、換気を行うことができる。
また、上述の従来技術では、室内空気の汚れをセンサで検知するようにしているため、センサの設置位置によっては、室内空気の汚れを検知しきれず、その結果、当該汚れを除去するための換気が行われないことがあるという問題があった。これに対し、実施の形態１に係る換気制御装置１０は、空調機の停止を契機に、風量装置を稼働させて換気を行わせるため、センサが汚れを検知したことを契機に換気を行う場合よりも、より確実に、塵埃を除去するための換気を行うことができる。
【００３７】
なお、ここでは、上述のとおり、換気制御装置１０において、在室人員判定部１０５が、対象室内が無人状態であるかどうかを判定するようにしたが、当該判定は必須としない。通常、空調機の運転スケジュールは、対象室内に人が存在する時間帯に合わせて空調機を稼働させるよう設定されており、当日分の運転が終了したということは、その日のうちに、対象室内に人が存在するような状態は発生しないと推定される。すなわち、スケジュール判定部１０３が、当日分の運転が終了したと判定した場合、その日は、対象室内には人が存在しない状態となったともいえる。そこで、換気制御装置１０において、在室人員判定部１０５による、対象室内が無人状態であるかどうかの判定は行わないようにしてもよい。この場合、換気制御装置１０は、在室状況情報取得部１０４および在室人員判定部１０５を備えない構成とすることができる。
【００３８】
また、換気制御装置１０が、図３で説明したような動作を実施する周期は、ユーザ等によって適宜設定可能である。例えば、換気制御装置１０は、１日または１週間というように、予め決められた期間に対して１回、風量装置に、最大風量での換気を行わせるようにすることができる。また、例えば、換気制御装置１０は、週末のみ、風量装置に、最大風量での換気を行わせるようにすることもできる。換気制御装置１０は、当該換気制御装置１０が備える記憶部（図示省略）または、換気制御装置１０の外部の、換気制御装置１０が参照可能な場所に記憶されているカレンダー情報に基づき、週末の判断をすればよい。
例えば、対象室が、オフィスビル内のオフィスであって、平日は、残業者が多く、対象室内が無人状態になる期間が短い場合、週末の、対象室内が無人状態になる期間が長い日に、換気制御装置１０は、風量装置に、最大風量での換気を行わせるようにする。
【００３９】
次に、図４を用いて、換気制御装置１０が、塵埃を除去するための換気を行わせた後、当該換気を停止させる動作を説明する。
図４のフローチャートで説明する動作は、図３のステップＳＴ３０５で説明したように、風量制御部１０６が、排気の風量および給気の風量を最大風量として風量装置を稼働させたことを前提とする。
【００４０】
濃度判定部１０８は、風量制御部１０６が風量装置に対して換気を行わせた後（図３のステップＳＴ３０５参照）、濃度情報取得部１０７が取得した濃度情報に基づき、対象室内の二酸化炭素濃度が濃度判定用閾値以下であるか否かを判定する（ステップＳＴ４０１）。
【００４１】
濃度判定部１０８が、対象室内の二酸化炭素濃度が濃度判定用閾値より大きいと判定した場合（ステップＳＴ４０１の”ＮＯ”の場合）、換気制御装置１０の動作は、ステップＳＴ４０１に戻る。対象室内の二酸化炭素濃度が濃度判定用閾値より大きい場合、対象室内がじゅうぶんに浄化されておらず、換気がじゅうぶんでないといえる。
濃度判定部１０８は、対象室内の二酸化炭素濃度が濃度判定用閾値以下であると判定した場合（ステップＳＴ４０１の”ＹＥＳ”の場合）、対象室内の二酸化炭素濃度が濃度判定用閾値以下である旨の情報を、停止制御部１１１に出力する。
【００４２】
温度判定部１１０は、温度情報取得部１０９が取得した室内温度情報および室外温度情報に基づき、対象室内の温度と対象室外の温度の差が温度判定用閾値以内であるか否かを判定する（ステップＳＴ４０２）。
【００４３】
温度判定部１１０が、対象室内の温度と対象室外の温度の差が温度判定用閾値より大きいと判定した場合（ステップＳＴ４０２の”ＮＯ”の場合）、換気制御装置１０の動作は、ステップＳＴ４０１に戻る。
温度判定部１１０は、対象室内の温度と対象室外の温度の差が温度判定用閾値以内であると判定した場合（ステップＳＴ４０２の”ＹＥＳ”の場合）、対象室内の温度と対象室外の温度の差が温度判定用閾値以内である旨の情報を、停止制御部１１１に出力する。
【００４４】
停止制御部１１１は、ステップＳＴ４０１にて濃度判定部１０８が、対象室内の二酸化炭素濃度が濃度判定用閾値以下であると判定し、かつ、ステップＳＴ４０２にて温度判定部１１０が、対象室内の温度と対象室外の温度の差が温度判定用閾値以内であると判定した場合、風量装置を停止させる（ステップＳＴ４０３）。これにより、塵埃を除去するための換気が終了する。
【００４５】
このように、換気制御装置１０は、対象室内の二酸化炭素濃度が濃度判定用閾値以下であるか否か、かつ、対象室内の温度と対象室外の温度の差が温度判定用閾値以内であるか否かによって、換気がじゅうぶんに行われたかどうかを判定し、換気がじゅうぶんに行われたと判断できた場合、風量装置を停止させる。これにより、換気制御装置１０は、風量装置を稼働し続けることによる無用な増エネを防ぐことができる。
【００４６】
なお、ここでは、上述のとおり、換気制御装置１０は、風量装置を停止させると判断する対象室の状況として、室内温度と室外温度の差が温度判定用閾値以内であるか否か（図４のステップＳＴ４０２参照）を含めるようにしたが、当該判定は必須ではない。
例えば、運転スケジュールにおいて、週末は空調機を運転させないようにスケジュールされている場合、当該週末のみ、風量装置を停止させると判断する対象室の状況として、室内温度と室外温度の差が温度判定用閾値以内であるか否かの判定を含めるようにしてもよい。当該週末は、次回、空調機を運転させるまでに期間が空くため、当該判定が有効であるためである。
例えば、毎日、空調機を運転させているような場合、対象室内を換気しすぎることで、空調された対象室内の空気を換気で逃がしてしまうことを防ぐという観点からも、次回、空調機を運転させるまでに期間が空く場合のみ、上記判定を行うことが有効であるといえる。風量装置を停止させる条件に、室内温度と室外温度の差が温度判定用閾値以内であるか否かを含めない場合、換気制御装置１０は、温度情報取得部１０９および温度判定部１１０を備えない構成とすることができる。
【００４７】
また、以上の実施の形態１では、施設監視システムは上位コントローラ２と下位コントローラ１とで階層構造を有するものとしたが、これは一例に過ぎない。例えば、コントローラは階層構造を有しておらず、上位コントローラ２が有する機能と、下位コントローラ１が有する機能を、１つのコントローラが有するものとしてもよい。この場合、換気制御装置１０は、例えば、当該１つのコントローラに備えられ、上位コントローラ２から情報を取得するものとしていた、運転状況情報取得部１０１、在室状況情報取得部１０４、濃度情報取得部１０７、または、温度情報取得部１０９を、備えない構成とすることができる。また、換気制御装置１０は、上位コントローラ２に対して情報を送信するものとしていた、換気状況通知部１１２を備えない構成とすることができる。
【００４８】
また、以上の実施の形態１では、換気制御装置１０は、ＶＡＶコントローラに備えられるものとし、施設監視システムにはＶＡＶ３が備えられるものとしたが、これは一例に過ぎない。施設監視システムはＶＡＶ３を備えず、給気ファンおよび排気ファンによって、対象室への空気の供給または、対象室からの空気の排出を行っているものとしてもよい。この場合、換気制御装置１０は、給気ファンおよび排気ファンに対して、最大風量とした換気を行わせる。換気制御装置１０は、ＶＡＶ３またはファン等、対象室へ、または、対象室からの空気の風量を調整可能な、あらゆる風量装置を制御可能である。
【００４９】
また、以上の実施の形態１では、換気制御装置１０は、施設監視システムで用いられるものとしたが、これは一例に過ぎない。換気制御装置１０は、ある空間への空気の吹出口または当該ある空間からの空気の吸込口等に設置され、当該ある空間へ、または、当該ある空間からの空気の風量を調整可能なあらゆる風量装置に対して、最大風量での換気を実施させることができる。
【００５０】
以上のように、実施の形態１によれば、換気制御装置１０は、対象室内の空調を行う空調機の、当日の運転が終了したか否かを判定する空調停止判定部１０２と、空調停止判定部１０２が、空調機の当日の運転が終了したと判定した場合、空調機が次回運転するまでの期間が、次回運転判定用閾値以上であるか否かを判定するスケジュール判定部１０３と、スケジュール判定部１０３が、空調機が次回運転するまでの期間が次回運転判定用閾値以上であると判定した場合、排気の風量および給気の風量を最大風量として風量装置（ＶＡＶ３）を稼働させる風量制御部１０６を備えるように構成した。そのため、換気制御装置１０は、空気の吹出口または空気の吸込口等に付着した塵埃を除去する換気を行うことができる。
【００５１】
本願発明はその発明の範囲内において、実施の形態において任意の構成要素の変形、もしくは実施の形態において任意の構成要素の省略が可能である。
【符号の説明】
【００５２】
１  下位コントローラ
２  上位コントローラ
３  ＶＡＶ
１０  換気制御装置
１０１  運転状況情報取得部
１０２  空調停止判定部
１０３  スケジュール判定部
１０４  在室状況情報取得部
１０５  在室人員判定部
１０６  風量制御部
１０７  濃度情報取得部
１０８  濃度判定部
１０９  温度情報取得部
１１０  温度判定部
１１１  停止制御部
１１２  換気状況通知部
【図１】
2020186856.tif 000003
【図２】
2020186856.tif 000004
【図３】
2020186856.tif 000005
【図４】
2020186856.tif 000006